(57)【要約】【課題】画像の投写を止めることなく、点灯不可能となったランプを交換することが可能なプロジェクターを提供する。【解決手段】プロジェクター１（２）は、複数のランプ１１Ａ，１１Ｂ，１１Ｃを点灯させるための電力の供給と停止とを個別に設定するランプ設定部２２と、各々のランプが点灯しているか否かを検出する点灯検出部２３と、ランプ設定部２２によって複数のランプに対して電力を供給させている第１の状態において、点灯検出部２３が点灯していないランプとして点灯不可ランプを検出した場合に、点灯不可ランプへの電力の供給をランプ設定部２２に停止させて、点灯不可ランプを交換可能な第２の状態に切り替える制御部２０と、を備える。【選択図】図１
2011095292.tif 000002
【特許請求の範囲】
【請求項１】
光源から射出された光を変調して投写するプロジェクターであって、
前記光源は複数のランプを有し、
複数の前記ランプを点灯させるための電力の供給と停止とを個別に設定するランプ設定部と、
各々の前記ランプが点灯しているか否かを検出する点灯検出部と、
前記ランプ設定部によって複数の前記ランプに対して電力を供給させている第１の状態において、前記点灯検出部が点灯していない前記ランプとして点灯不可ランプを検出した場合に、前記点灯不可ランプへの電力の供給を前記ランプ設定部に停止させて、前記点灯不可ランプを交換可能な第２の状態に切り替える制御部と、
を備えることを特徴とするプロジェクター。
【請求項２】
請求項１に記載のプロジェクターであって、
所定の操作を受け付ける操作受付部をさらに備え、
前記制御部は、前記第１の状態において、前記点灯検出部が前記点灯不可ランプを検出し、前記操作受付部が所定の操作を受け付けた場合に、前記点灯不可ランプへの電力の供給を前記ランプ設定部に停止させて、前記点灯不可ランプを交換可能な前記第２の状態に切り替えることを特徴とするプロジェクター。
【請求項３】
請求項１または２に記載のプロジェクターであって、
前記点灯不可ランプを冷却するための冷却ファンをさらに有し、
前記第２の状態においては、前記冷却ファンによって前記点灯不可ランプを冷却することを特徴とするプロジェクター。
【請求項４】
請求項１乃至３のいずれか一項に記載のプロジェクターであって、
前記第２の状態においては、前記点灯検出部は、前記点灯不可ランプが点灯しているか否かの検出を停止することを特徴とするプロジェクター。
【請求項５】
請求項１乃至４のいずれか一項に記載のプロジェクターであって、
前記光源はｍ個（３≦ｍ）の前記ランプを有し、
前記ランプ設定部は、前記ｍ個の前記ランプのうち、ｎ個（２≦ｎ＜ｍ）の前記ランプに対して電力を供給させ、
前記点灯検出部は、前記ランプ設定部によって電力が供給されている前記ｎ個の前記ランプが点灯しているか否かを検出し、
前記点灯検出部が前記点灯不可ランプを検出した場合に、前記制御部は、前記ランプ設定部に電力を供給させていなかった予備の前記ランプに電力を供給させて点灯させることを特徴とするプロジェクター。
【請求項６】
複数のランプを有する光源から射出された光を変調して投写するプロジェクターの制御方法であって、
複数の前記ランプに対して電力を供給させるランプ点灯ステップと、
前記ランプ点灯ステップによって複数の前記ランプに対して電力を供給させている第１の状態において、各々の前記ランプが点灯しているか否かを検出する点灯検出ステップと、
前記点灯検出ステップによって点灯していない前記ランプとして点灯不可ランプを検出した場合に、前記点灯不可ランプに対する電力の供給を停止して、前記点灯不可ランプを交換可能とする第２の状態に切り替える制御ステップと、
を備えることを特徴とするプロジェクターの制御方法。
【請求項７】
請求項６に記載のプロジェクターの制御方法であって、
前記点灯検出ステップによって前記点灯不可ランプを検出した場合に、所定の操作を受け付ける操作受付ステップをさらに備え、
前記操作受付ステップによって前記所定の操作が受け付けられた場合に、前記点灯不可ランプに対する電力の供給を停止して、前記点灯不可ランプを交換可能とする前記第２の状態に切り替えることを特徴とするプロジェクターの制御方法。
【発明の詳細な説明】
【技術分野】
【０００１】
本発明は、プロジェクター、およびプロジェクターの制御方法に関する。
【背景技術】
【０００２】
従来、光源として複数のランプを備えているプロジェクターがある。このようなプロジェクターにおいては、１つのランプが点灯不可能となって消灯した場合でも、他のランプが点灯していることにより、画像の投写が中断してしまうことを回避することが可能である。
【０００３】
特許文献１には、３つの光源ランプを回転可能に保持する回転保持基板を備え、２つの光源ランプを点灯させる位置に配置し、１つの光源ランプを点灯させない位置に配置する光源装置が開示されている。この光源装置では、点灯させる位置に配置してある２つの光源ランプのうち、少なくとも一方が点灯不可能になったときに、点灯させない位置に配置しておいた光源ランプを点灯させる位置に回転させる。このような光源装置を備えたプロジェクターによれば、１つの光源ランプが点灯不可能となった場合でも、残りの２つの光源ランプを点灯させることができるため、照度低下を抑制することが可能である。
【先行技術文献】
【特許文献】
【０００４】
【特許文献１】特開２００８−２９９２３７号公報
【発明の概要】
【発明が解決しようとする課題】
【０００５】
しかしながら、特許文献１に記載の光源装置を備えるプロジェクターにおいて、点灯不可能となったランプを交換するためには、点灯しているランプを消灯して、プロジェクターの電源を遮断しなければならなかった。即ち、プロジェクターの画像の投写を止めなければならないため、プロジェクターを長時間連続稼動するような使用形態（例えば、アミューズメント施設での使用や電子看板としての使用形態）においては、点灯不可能となったランプを交換することができなかった。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源から射出された光を変調して投写するプロジェクターであって、前記光源は複数のランプを有し、複数の前記ランプを点灯させるための電力の供給と停止とを個別に設定するランプ設定部と、各々の前記ランプが点灯しているか否かを検出する点灯検出部と、前記ランプ設定部によって複数の前記ランプに対して電力を供給させている第１の状態において、前記点灯検出部が点灯していない前記ランプとして点灯不可ランプを検出した場合に、前記点灯不可ランプへの電力の供給を前記ランプ設定部に停止させて、前記点灯不可ランプを交換可能な第２の状態に切り替える制御部と、を備えることを特徴とする。
【０００８】
このようなプロジェクターによれば、光源は複数のランプを有する。ランプ設定部は、ランプを点灯させるための電力の供給と停止とを個別に設定する。点灯検出部は、各々のランプが点灯しているか否かを検出する。そして、複数のランプに電力を供給させている第１の状態において、点灯していない点灯不可ランプを検出した場合に、制御部は、点灯不可ランプに対する電力の供給を停止させて、点灯不可ランプを交換可能とする第２の状態に切り替える。つまり、点灯しているランプに対する電力の供給を行いながら、点灯不可ランプに対する電力の供給を停止して、点灯不可ランプを交換可能とする。これにより、点灯不可ランプが検出されても、プロジェクターの画像の投写を止めることなく、ユーザーは点灯不可ランプを交換することが可能となる。
【０００９】
［適用例２］上記適用例に係るプロジェクターにおいて、所定の操作を受け付ける操作受付部をさらに備え、前記制御部は、前記第１の状態において、前記点灯検出部が前記点灯不可ランプを検出し、前記操作受付部が所定の操作を受け付けた場合に、前記点灯不可ランプへの電力の供給を前記ランプ設定部に停止させて、前記点灯不可ランプを交換可能な前記第２の状態に切り替えることを特徴とする。
【００１０】
このようなプロジェクターによれば、複数のランプに電力を供給させている第１の状態において、点灯していない点灯不可ランプを検出して、所定の操作を受け付けた場合に、制御部は、点灯不可ランプに対する電力の供給を停止させて、点灯不可ランプを交換可能とする第２の状態に切り替える。つまり、点灯しているランプに対する電力の供給を行いながら、点灯不可ランプに対する電力の供給を停止して、点灯不可ランプを交換可能とする。これにより、点灯不可ランプが検出されても、ユーザーは所定の操作を行うことで、プロジェクターの画像の投写を止めることなく、点灯不可ランプを交換することが可能となる。
【００１１】
［適用例３］上記適用例に係るプロジェクターにおいて、前記点灯不可ランプを冷却するための冷却ファンをさらに有し、前記第２の状態においては、前記冷却ファンによって前記点灯不可ランプを冷却することを特徴とする。
【００１２】
このようなプロジェクターによれば、点灯不可ランプを冷却するための冷却ファンをさらに有する。そして、第２の状態においては、冷却ファンによって点灯不可ランプを冷却する。これにより、ユーザーは、点灯不可ランプの交換を安全に行うことができる。
【００１３】
［適用例４］上記適用例に係るプロジェクターにおいて、前記第２の状態においては、前記点灯検出部は、前記点灯不可ランプが点灯しているか否かの検出を停止することを特徴とする。
【００１４】
このようなプロジェクターによれば、第２の状態においては、点灯検出部は、点灯不可ランプに対する点灯しているか否かの検出を停止する。これにより、プロジェクターは、点灯不可ランプに対する不要な検出処理を行わなくなるため、処理を低減することができる。
【００１５】
［適用例５］上記適用例に係るプロジェクターにおいて、前記光源はｍ個（３≦ｍ）の前記ランプを有し、前記ランプ設定部は、前記ｍ個の前記ランプのうち、ｎ個（２≦ｎ＜ｍ）の前記ランプに対して電力を供給させ、前記点灯検出部は、前記ランプ設定部によって電力が供給されている前記ｎ個の前記ランプが点灯しているか否かを検出し、前記点灯検出部が前記点灯不可ランプを検出した場合に、前記制御部は、前記ランプ設定部に電力を供給させていなかった予備の前記ランプに電力を供給させて点灯させることを特徴とする。
【００１６】
このようなプロジェクターによれば、ランプ設定部は、ｍ個のランプのうち、ｎ個（２≦ｎ＜ｍ）のランプに対して電力を供給させる。点灯検出部が点灯不可ランプを検出した場合に、制御部は、ランプ設定部に電力を供給させていなかった予備のランプに電力を供給させて点灯させる。これにより、プロジェクターは、点灯ランプ数の低減による照度低下を抑制することができる。
【００１７】
［適用例６］本適用例に係るプロジェクターの制御方法は、複数のランプを有する光源から射出された光を変調して投写するプロジェクターの制御方法であって、複数の前記ランプに対して電力を供給させるランプ点灯ステップと、前記ランプ点灯ステップによって複数の前記ランプに対して電力を供給させている第１の状態において、各々の前記ランプが点灯しているか否かを検出する点灯検出ステップと、前記点灯検出ステップによって点灯していない前記ランプとして点灯不可ランプを検出した場合に、前記点灯不可ランプに対する電力の供給を停止して、前記点灯不可ランプを交換可能とする第２の状態に切り替える制御ステップと、を備えることを特徴とする。
【００１８】
このようなプロジェクターの制御方法によれば、点灯していない点灯不可ランプを検出した場合に、点灯しているランプに対する電力の供給を行いながら、点灯不可ランプに対する電力の供給を停止して、点灯不可ランプを交換可能とする第２の状態に切り替える。これにより、点灯不可ランプが検出されても、プロジェクターの画像の投写を止めることなく、ユーザーは点灯不可ランプを交換することが可能となる。
【００１９】
［適用例７］上記適用例に係るプロジェクターの制御方法において、前記点灯検出ステップによって前記点灯不可ランプを検出した場合に、所定の操作を受け付ける操作受付ステップをさらに備え、前記操作受付ステップによって前記所定の操作が受け付けられた場合に、前記点灯不可ランプに対する電力の供給を停止して、前記点灯不可ランプを交換可能とする前記第２の状態に切り替えることを特徴とする。
【００２０】
このようなプロジェクターの制御方法によれば、点灯していない点灯不可ランプを検出した場合に、所定の操作を受け付けると、点灯しているランプに対する電力の供給を行いながら、点灯不可ランプに対する電力の供給を停止して、点灯不可ランプを交換可能とする第２の状態に切り替える。これにより、点灯不可ランプが検出されても、ユーザーは所定の操作を行うことで、プロジェクターの画像の投写を止めることなく、点灯不可ランプを交換することが可能となる。
【００２１】
また、上述したプロジェクターおよびその制御方法がプロジェクターに備えられたコンピューターを用いて構築されている場合には、上記形態および上記適用例は、その機能を実現するためのプログラム、あるいは当該プログラムを前記コンピューターで読み取り可能に記録した記録媒体等の態様で構成することも可能である。記録媒体としては、フレキシブルディスクやハードディスク、ＣＤ−ＲＯＭ（Compact Disk Read Only Memory）、ＤＶＤ（Digital Versatile Disk）、光磁気ディスク、不揮発性メモリーカード、プロジェクターの内部記憶装置（ＲＡＭ（Random Access Memory）やＲＯＭ（Read Only Memory）等の半導体メモリー）、及び外部記憶装置（ＵＳＢ（Universal Serial Bus）メモリー等）等、前記コンピューターが読み取り可能な種々の媒体を利用することができる。
【図面の簡単な説明】
【００２２】
【図１】第１の実施形態に係るプロジェクターの概略構成を示すブロック図。
【図２】ランプ情報テーブルの図であり、（ａ）は、正常に点灯しているときのランプ情報テーブル、（ｂ）は、使用不可能なランプが検出されたときのランプ情報テーブル、（ｃ）は、ランプ交換を行った後のランプ情報テーブル。
【図３】プロジェクターの状態遷移図。
【図４】プロジェクターの待機状態における処理のフローチャート。
【図５】プロジェクターの通常投写状態における処理のフローチャート。
【図６】プロジェクターのランプ交換状態における処理のフローチャート。
【図７】第２の実施形態に係るプロジェクターの状態遷移図。
【図８】プロジェクターの通常投写状態における処理のフローチャート。
【発明を実施するための形態】
【００２３】
以下、実施形態について説明する。
【００２４】
（第１の実施形態）
第１の実施形態では、ユーザーが所定の操作を行うことで、点灯不可能となった点灯不可ランプを交換することが可能なプロジェクターについて説明する。
【００２５】
図１は、第１の実施形態に係るプロジェクターの概略構成を示すブロック図である。図１を使用して、プロジェクター１の内部構成について説明する。
【００２６】
プロジェクター１は、画像投写部１０、制御部２０、操作受付部２１、ランプ設定部２２、点灯検出部２３、ランプ情報記憶部２４、ランプ交換検出部２５、ファン制御部２６、冷却ファン２７Ａ，２７Ｂ，２７Ｃ、ＬＥＤ制御部２８、ＬＥＤ２９、画像信号入力部３０、画像処理部３１、ＯＳＤ処理部３２等を備えている。
【００２７】
画像投写部１０は、光源であるランプ１１Ａ，１１Ｂ，１１Ｃと、光変調装置としての液晶ライトバルブ１２と、投写光学系としての投写レンズ１３と、液晶ライトバルブ１２を駆動するライトバルブ駆動部１４とを備えている。
【００２８】
ランプ１１Ａ，１１Ｂ，１１Ｃは、超高圧水銀ランプやメタルハライドランプ等の放電型光源や、ＬＥＤ（Light Emitting Diode）等の固体光源を有して構成される。本実施形態では、ランプ設定部２２が、３つのランプ１１Ａ，１１Ｂ，１１Ｃのうち、２つのランプを点灯させ、残りの１つは予備のランプとして点灯させない。点灯させる２つのランプのいずれかが点灯しなくなった（即ち、点灯不可ランプとなった）際に、予備のランプがランプ設定部２２によって点灯される。
【００２９】
液晶ライトバルブ１２は、一対の透明基板間に液晶が封入された透過型液晶パネル等によって構成される。ライトバルブ駆動部１４の駆動によって、液晶ライトバルブ１２の各画素に画像信号に応じた駆動電圧が印加されると、各画素は、画像信号に応じた光透過率で光源光を透過させる。
【００３０】
ランプ１１Ａ，１１Ｂ，１１Ｃから射出された光は、この液晶ライトバルブ１２を透過することによって変調され、変調後の光が投写レンズ１３によって投写されることにより、スクリーンＳＣ等に画像信号に応じた画像が表示される。
【００３１】
制御部２０は、ＣＰＵ（Central Processing Unit）、各種データの一時記憶等に用いられるＲＡＭ、および、マスクＲＯＭやフラッシュメモリー、ＦｅＲＡＭ（Ferroelectric RAM：強誘電体メモリー）等の不揮発性のメモリー等（いずれも図示せず）を備え、コンピューターとして機能するものである。制御部２０は、ＣＰＵが不揮発性のメモリーに記憶されている制御プログラムに従って動作することにより、プロジェクター１の動作を統括制御する。
【００３２】
操作受付部２１は、プロジェクター１に対して各種指示を行うための複数のキー等を備えている。操作受付部２１が備えるキーとしては、電源のオン／オフを行うための「電源キー」や、画像入力端子を切り換えるための「入力切換キー」、各種設定を行うためのメニュー画面の表示／非表示を切り換える「メニューキー」、メニュー画面におけるカーソルの移動等に用いられる「カーソルキー」、各種設定を決定するための「決定キー」、ランプ交換状態に切り替えるための「ランプ交換キー」等がある。ユーザーが操作受付部２１を操作すると、操作受付部２１は、ユーザーの操作内容に応じた操作信号を制御部２０に出力する。なお、操作受付部２１は、リモコン信号受信部（図示せず）と遠隔操作が可能なリモートコントローラー（図示せず）を有した構成としてもよい。この場合、リモートコントローラーは、ユーザーの操作内容に応じた赤外線等の操作信号を発し、リモコン信号受信部がこれを受信して制御部２０に伝達する。
【００３３】
ランプ設定部２２は、制御部２０の指示に基づいて、ランプ１１Ａ，１１Ｂ，１１Ｃに対する電力の供給と停止とを個別に設定（即ち制御）し、ランプ１１Ａ，１１Ｂ，１１Ｃの点灯および消灯を切り替える。
【００３４】
点灯検出部２３は、ランプ１１Ａ，１１Ｂ，１１Ｃが点灯しているか否かを個別に検出し、検出結果を制御部２０に通知する。ランプ１１Ａ，１１Ｂ，１１Ｃが点灯しているか否かを検出するための手段としては、例えば、ランプの発光管の温度を検出したり、発光管の光量を検出したり、発光管に流れる電流量を検出する手段を用いることができる。
【００３５】
ランプ情報記憶部２４は、不揮発性のメモリーからなり、ランプ１１Ａ，１１Ｂ，１１Ｃの使用状態を個別に記憶する。ランプ情報記憶部２４は、制御部２０によって書き込みおよび読み出しが行われる。
ここで、ランプ情報記憶部２４に記憶されるランプ情報テーブルについて説明する。図２は、ランプ情報テーブルＴ１の図であり、同図（ａ）は、正常に点灯しているときのランプ情報テーブルＴ１であり、同図（ｂ）は、使用不可能なランプが検出されたときのランプ情報テーブルＴ１であり、同図（ｃ）は、ランプ交換を行った後のランプ情報テーブルＴ１である。
【００３６】
図２に示すように、ランプ情報テーブルＴ１は、個々のランプとそのランプに対応する使用状態を記憶する。図２（ａ）に示すランプ情報テーブルＴ１では、ランプ１１Ａおよびランプ１１Ｂが使用中として記憶され、ランプ１１Ｃが予備で使用可能のランプとして記憶されている。図２（ｂ）に示すランプ情報テーブルＴ１では、ランプ１１Ａが使用不可能（点灯不可能）として検出されたことにより、ランプの使用状態が切り替えられて、ランプ１１Ａが予備で使用不可能として記憶され、ランプ１１Ｂおよびランプ１１Ｃが使用中として記憶されている。図２（ｃ）に示すランプ情報テーブルＴ１では、ランプ１１Ａがユーザーによって交換されて、予備で使用可能のランプとして記憶され、ランプ１１Ｂおよびランプ１１Ｃが使用中として記憶されている。
【００３７】
図１に戻り、ランプ交換検出部２５は、ランプ交換が行われたか否かを検出する。ランプ交換が行われたか否かを検出するための具体的な方法としては、ランプの取り付け時にランプに押されてオンとオフとが切り替わるスイッチをランプ１１Ａ，１１Ｂ，１１Ｃのそれぞれの取り付け部（図示せず）に備え、当該スイッチがオン／オフされることを検知することによって、ランプ交換が行われたか否かを検出することができる。そして、ランプの交換が行われた際に、ランプ交換検出部２５は、制御部２０に通知を行う。
【００３８】
ファン制御部２６は、制御部２０の指示に基づいて、冷却ファン２７Ａ，２７Ｂ，２７Ｃの回転を個別に制御する。具体的には、冷却ファン２７Ａ，２７Ｂ，２７Ｃの回転の開始や停止を行ったり、回転数を変更したりする。本実施形態では、ファン制御部２６は、ランプ交換を行う際にランプを冷却するために、冷却ファン２７Ａ，２７Ｂ，２７Ｃを、所定の回転数で回転させる。なお、ファン制御部２６は、通常の投写を行ってランプを点灯させている状態においても、温度制御のために冷却ファンを回転させてもよい。
【００３９】
冷却ファン２７Ａ，２７Ｂ，２７Ｃは、ファン制御部２６の制御に基づいて、ランプ１１Ａ，１１Ｂ，１１Ｃをそれぞれ冷却する。
【００４０】
ＬＥＤ制御部２８は、制御部２０の指示に基づいて、ＬＥＤ２９に対する電力の供給と停止とを制御し、ＬＥＤ２９の点灯および消灯を切り替える。
【００４１】
ＬＥＤ２９は、ＬＥＤ制御部２８によって制御されるＬＥＤである。本実施形態では、ＬＥＤ２９は、ユーザーにランプ交換を促すための表示手段とする。
【００４２】
画像信号入力部３０には、パーソナルコンピューターやビデオ再生装置、メモリーカード、ＵＳＢストレージ、デジタルカメラ等、外部の画像供給装置（図示せず）とケーブルを介した接続を行うための各種の画像入力端子が備えられており、画像供給装置から画像信号が入力される。画像信号入力部３０は、入力される画像信号を、画像処理部３１で処理可能な形式の画像データに変換して、画像処理部３１に出力する。
【００４３】
画像処理部３１は、制御部２０の指示に基づいて、画像信号入力部３０から入力される画像データに対して、明るさ、コントラスト、シャープネス、色合い等の調整や、ガンマ補正等の各種画質調整を施す。画像処理部３１は、このような調整および処理を行った画像データをＯＳＤ処理部３２に出力する。
【００４４】
ＯＳＤ処理部３２は、制御部２０の指示に基づいて、メニュー画面やメッセージ画面等のＯＳＤ（オンスクリーンディスプレイ）画像を、画像処理部３１から入力される画像データに重畳する処理を行う。ＯＳＤ処理部３２は、図示しないＯＳＤメモリーを備えており、ＯＳＤ画像を形成するための図形やフォント等を表すＯＳＤ画像データを記憶している。制御部２０が、ＯＳＤ画像の重畳を指示すると、ＯＳＤ処理部３２は、必要なＯＳＤ画像データをＯＳＤメモリーから読み出し、入力画像の所定の位置にＯＳＤ画像が重畳されるように、画像処理部３１から入力される画像データにこのＯＳＤ画像データを合成する。ＯＳＤ画像データが合成された画像データは、ライトバルブ駆動部１４に出力される。なお、制御部２０からＯＳＤ画像を重畳する旨の指示がない場合には、ＯＳＤ処理部３２は、画像処理部３１から出力される画像データを、そのままライトバルブ駆動部１４に出力する。
【００４５】
ライトバルブ駆動部１４が、ＯＳＤ処理部３２から入力される画像データに従って液晶ライトバルブ１２を駆動すると、液晶ライトバルブ１２は、画像データに応じた画像を形成し、この画像が投写レンズ１３から投写される。
【００４６】
上述した構成により、プロジェクター１は、画像信号に基づいて画像をスクリーンＳＣに投写したり、ランプ１１Ａ，１１Ｂ，１１Ｃの点灯状態検出や点灯制御を行ったりすることができる。また、プロジェクター１は、冷却ファン２７Ａ，２７Ｂ，２７Ｃの回転制御を行うことができる。
以降、プロジェクター１の動作処理について説明する。
【００４７】
まず、プロジェクター１の状態遷移について説明する。図３は、本実施形態に係るプロジェクター１の状態遷移図である。図３に示すように、プロジェクター１は、待機状態ＳＴ１０、通常投写状態ＳＴ１１、およびランプ交換状態ＳＴ１２に遷移可能となっている。
【００４８】
プロジェクター１は、外部からＡＣ１００Ｖ等の商用電源が供給されると、待機状態ＳＴ１０となる。待機状態ＳＴ１０は、プロジェクター１が、電源オン操作が行われるのを待機している状態である。待機状態ＳＴ１０において、電源オン操作が行われると、プロジェクター１は、通常投写状態ＳＴ１１に遷移する。
【００４９】
通常投写状態ＳＴ１１は、プロジェクター１が、ランプ１１Ａ，１１Ｂ，１１Ｃのうち、２つを点灯し、入力された画像信号に基づく画像を投写している状態である。通常投写状態ＳＴ１１において、点灯不可能（使用不可能）なランプが検出された場合に、操作受付部２１に備わるランプ交換キーが押下されると、プロジェクター１は、ランプ交換状態ＳＴ１２に遷移する。また、通常投写状態ＳＴ１１において、電源オフ操作が行われた場合、プロジェクター１は、待機状態ＳＴ１０に遷移する。また、通常投写状態ＳＴ１１において、その他の操作が行われた場合には、プロジェクター１は、当該操作に対応する処理を行って、状態の遷移はしない。本実施形態では、通常投写状態ＳＴ１１が第１の状態に相当し、ランプ交換キーの押下が所定の操作に相当する。
【００５０】
ランプ交換状態ＳＴ１２は、プロジェクター１が、画像の投写を行ったままで、使用不可能なランプを交換可能とする状態である。本実施形態では、ランプ交換状態ＳＴ１２では、制御部２０がファン制御部２６に指示をして、交換する対象である使用不可能なランプを冷却する。ランプ交換状態ＳＴ１２において、ランプ交換が完了すると、プロジェクター１は、通常投写状態ＳＴ１１に遷移する。また、ランプ交換状態ＳＴ１２において、電源オフ操作が行われた場合、プロジェクター１は、待機状態ＳＴ１０に遷移する。また、ランプ交換状態ＳＴ１２において、その他の操作が行われた場合には、プロジェクター１は、当該操作に対応する処理を行って、状態の遷移はしない。本実施形態では、ランプ交換状態ＳＴ１２が第２の状態に相当する。
【００５１】
次に、プロジェクター１の各状態における処理と状態遷移について説明する。
図４は、プロジェクター１の待機状態ＳＴ１０における処理のフローチャートである。
【００５２】
待機状態ＳＴ１０において、制御部２０は、操作受付部２１に備わる電源キーが押下され、電源オン操作が行われたか否かを判断する（ステップＳ１０１）。電源オン操作が行われていない場合（ステップＳ１０１：ＮＯ）、ステップＳ１０１をループして、電源オン操作が行われるのを待ち続ける。
【００５３】
電源オン操作が行われた場合（ステップＳ１０１：ＹＥＳ）、制御部２０は、初期処理を行う（ステップＳ１０２）。本実施形態では、初期処理は、ＣＰＵの初期化やＲＡＭ等のメモリーの初期化を行う。また、その他のソフトウェアやハードウェアの初期化等も行われる。次に、制御部２０は、ランプ情報記憶部２４のランプ情報テーブルＴ１を読み出して点灯する２つのランプを選択する（ステップＳ１０３）。そして、制御部２０は、ランプ設定部２２に指示を出して、選択したランプを点灯させる（ステップＳ１０４）。
【００５４】
制御部２０は、画像処理部３１に指示を出して、画像信号入力部３０から入力される画像信号に基づく画像の投写を開始させる（ステップＳ１０５）。そして、制御部２０は、プロジェクター１を通常投写状態ＳＴ１１に遷移させる（ステップＳ１０６）。そして、待機状態ＳＴ１０におけるプロジェクター１の処理を終了する。
【００５５】
次に、通常投写状態ＳＴ１１における処理と状態遷移について説明する。
図５は、プロジェクター１の通常投写状態ＳＴ１１における処理のフローチャートである。
【００５６】
通常投写状態ＳＴ１１において、制御部２０は、点灯検出部２３からランプ１１Ａ，１１Ｂ，１１Ｃが点灯しているか否かの検出結果を入力し、点灯しなくなったランプがあるか否かを判断する（ステップＳ２０１）。点灯しなくなったランプが検出された場合（ステップＳ２０１：ＹＥＳ）、制御部２０は、ランプ情報記憶部２４のランプ情報テーブルＴ１を読み出して予備で使用可能なランプがあるか否かを判断する（ステップＳ２０２）。予備で使用可能なランプがある場合（ステップＳ２０２：ＹＥＳ）、制御部２０は、ランプ設定部２２に指示を出して、予備のランプを点灯させる（ステップＳ２０３）。
【００５７】
制御部２０は、ＬＥＤ制御部２８に指示を出して、ランプ交換を促すためのＬＥＤ２９を点灯させる（ステップＳ２０４）。そして、制御部２０は、ランプ情報記憶部２４のランプ情報テーブルＴ１にランプの使用状態を記憶させる（ステップＳ２０５）。そして、ステップＳ２０１に移行する。予備で使用可能なランプがない場合（ステップＳ２０２：ＮＯ）、ステップＳ２０４に移行する。
【００５８】
点灯しなくなったランプがない場合（ステップＳ２０１：ＮＯ）、制御部２０は、操作受付部２１に備わるランプ交換キーが押下されたか否かを判断する（ステップＳ２０６）。ランプ交換キーが押下された場合（ステップＳ２０６：ＹＥＳ）、制御部２０は、ランプ情報記憶部２４のランプ情報テーブルＴ１を読み出して、使用不可能（点灯不可能）なランプがあるか否かを判断する（ステップＳ２０７）。
【００５９】
使用不可能なランプがない場合（ステップＳ２０７：ＮＯ）、ステップＳ２０１に移行する。使用不可能なランプがある場合（ステップＳ２０７：ＹＥＳ）、制御部２０は、ランプ設定部２２に指示を出して、使用不可能（点灯不可能）なランプに対する電力の供給を停止させる（ステップＳ２０８）。そして、制御部２０は、ファン制御部２６に指示を出して、使用不可能なランプに対応する冷却ファンを所定の回転数で回転させて、使用不可能なランプを冷却する（ステップＳ２０９）。
【００６０】
制御部２０は、点灯検出部２３に指示を出し、使用不可能なランプに対する点灯状態の検出を停止する（ステップＳ２１０）。そして、制御部２０は、プロジェクター１をランプ交換状態ＳＴ１２に遷移させる（ステップＳ２１１）。そして、通常投写状態ＳＴ１１におけるプロジェクター１の処理を終了する。
【００６１】
ランプ交換キーが押下されていない場合（ステップＳ２０６：ＮＯ）、制御部２０は、操作受付部２１に備わる電源キーが押下され、電源オフ操作が行われたか否かを判断する（ステップＳ２１２）。電源オフ操作が行われていた場合（ステップＳ２１２：ＹＥＳ）、制御部２０は、画像処理部３１に指示を出して、画像の投写を停止させる（ステップＳ２１３）。次に、制御部２０は、ランプ設定部２２に指示を出して、全てのランプを消灯させる（ステップＳ２１４）。
【００６２】
制御部２０は、電源オフ処理を行う（ステップＳ２１５）。本実施形態では、電源オフ処理は、プロジェクター１の電源オフに伴って行われる処理を示し、電源オフに対応したソフトウェアやハードウェアの処理等を含む。そして、制御部２０は、プロジェクター１を待機状態ＳＴ１０に遷移させる（ステップＳ２１６）。そして、通常投写状態ＳＴ１１におけるプロジェクター１の処理を終了する。
【００６３】
電源オフ操作が行われていなければ（ステップＳ２１２：ＮＯ）、制御部２０は、その他の操作が行われたか否かを判断する（ステップＳ２１７）。その他の操作が行われていれば（ステップＳ２１７：ＹＥＳ）、制御部２０は、その他の操作に対応した処理を行う（ステップＳ２１８）。そして、ステップＳ２０１に移行する。ここで、その他の操作とは、プロジェクター１の操作受付部２１に備わる各種キーの操作を示すが、説明は省略する。
【００６４】
その他の操作が行われていなければ（ステップＳ２１７：ＮＯ）、ステップＳ２０１に移行する。
【００６５】
次に、ランプ交換状態ＳＴ１２における処理と状態遷移について説明する。
図６は、プロジェクター１のランプ交換状態ＳＴ１２における処理のフローチャートである。
【００６６】
ランプ交換状態ＳＴ１２において、制御部２０は、ランプ交換が行われたか否かを、ランプ交換検出部２５からの通知を受け取ったか否かによって判断する（ステップＳ３０１）。ランプ交換が行われていれば（ステップＳ３０１：ＹＥＳ）、制御部２０は、ランプ情報記憶部２４のランプ情報テーブルＴ１に、交換されたランプの使用状態として、予備で使用可能である旨の情報を記憶する（ステップＳ３０２）。そして、制御部２０は、ファン制御部２６に指示を出して、使用不可能なランプを冷却していた冷却ファンを停止させる。（ステップＳ３０３）。さらに、制御部２０は、ＬＥＤ制御部２８に指示を出して、ランプ交換を促すＬＥＤ２９を消灯させる（ステップＳ３０４）。そして、制御部２０は、プロジェクター１を通常投写状態ＳＴ１１に遷移させる（ステップＳ３０５）。
【００６７】
ランプ交換が行われていなければ（ステップＳ３０１：ＮＯ）、制御部２０は、操作受付部２１に備わる電源キーが押下され、電源オフ操作が行われたか否かを判断する（ステップＳ３０６）。電源オフ操作が行われていた場合（ステップＳ３０６：ＹＥＳ）、制御部２０は、画像処理部３１に指示を出して、画像の投写を停止させる（ステップＳ３０７）。次に、制御部２０は、ランプ設定部２２に指示を出して、全てのランプを消灯させる（ステップＳ３０８）。
【００６８】
制御部２０は、電源オフ処理を行う（ステップＳ３０９）。そして、制御部２０は、プロジェクター１を待機状態ＳＴ１０に遷移させる（ステップＳ３１０）。そして、ランプ交換状態ＳＴ１２におけるプロジェクター１の処理を終了する。
【００６９】
電源オフ操作が行われていなければ（ステップＳ３０６：ＮＯ）、制御部２０は、その他の操作が行われたか否かを判断する（ステップＳ３１１）。その他の操作が行われていれば（ステップＳ３１１：ＹＥＳ）、制御部２０は、その他の操作に対応した処理を行う（ステップＳ３１２）。そして、ステップＳ３０１に移行する。その他の操作が行われていなければ（ステップＳ３１１：ＮＯ）、ステップＳ３０１に移行する。
【００７０】
上述したように、プロジェクター１は、待機状態ＳＴ１０と、通常投写状態ＳＴ１１と、ランプ交換状態ＳＴ１２との間で遷移することができる。
【００７１】
上述した第１の実施形態によれば、以下の効果が得られる。
（１）プロジェクター１は、通常投写状態ＳＴ１１において、２つのランプを点灯している。これにより、１つのランプが点灯しなくなり点灯不可能（使用不可能）になったとしても、他方のランプが点灯していれば、画像の投写が停止することがないため、有益である。例えば、重要なプレゼンテーションにおいて、ランプの不具合によって画像投写が停止してしまうリスクを低減することができる。
【００７２】
（２）プロジェクター１は、通常投写状態ＳＴ１１において、点灯しなくなったランプを検出すると、操作受付部２１に備わるランプ交換キーの押下を受け付けた場合に、点灯不可能（使用不可能）なランプに対する電力の供給を停止して、ランプ交換可能なランプ交換状態ＳＴ１２に切り替える。ランプ交換状態ＳＴ１２では、点灯可能なランプは点灯しており、画像の投写は行われる。これにより、点灯不可能なランプが検出されても、ユーザーはランプ交換キーを押下することで、プロジェクター１の画像の投写を止めることなく、点灯不可能なランプを交換することが可能となる。よって、プロジェクター１を長時間連続稼動するような使用形態（例えば、アミューズメント施設での使用や電子看板としての使用形態）においても、画像を投写したままでランプを交換することが可能になるため、有益である。また、通常投写状態ＳＴ１１では、１つのランプが点灯不可能になっても、直ちに予備のランプを点灯するため、点灯しているランプが１つになることによって画像の照度が低下してしまう時間を抑制することができる。
【００７３】
（３）プロジェクター１は、通常投写状態ＳＴ１１において、点灯しなくなった点灯不可能（使用不可能）なランプを検出して、操作受付部２１に備わるランプ交換キーの押下を受け付けた場合に、点灯不可能なランプに対応する冷却ファンを所定の回転数で回転させることにより点灯不可能なランプを冷却させて、ランプ交換可能なランプ交換状態ＳＴ１２に切り替える。これにより、ユーザーは、点灯不可能なランプの交換を安全に行うことができる。
【００７４】
（４）プロジェクター１は、通常投写状態ＳＴ１１において、点灯しなくなった点灯不可能（使用不可能）なランプを検出して、操作受付部２１に備わるランプ交換キーの押下を受け付けた場合に、使用不可能なランプの点灯状態の検出処理を停止して、ランプ交換可能なランプ交換状態ＳＴ１２に切り替える。これにより、プロジェクター１は、点灯不可能なランプに対する不要な検出処理を行わなくなるため、ソフトウェアの処理を低減することができる。
【００７５】
（第２の実施形態）
以下、第２の実施形態について説明する。
【００７６】
第２の実施形態に係るプロジェクター２は、点灯しなくなった点灯不可能なランプを検出すると、所定の操作が行われなくても、点灯不可能なランプをランプ交換可能なランプ交換状態ＳＴ１２に切り替える。
【００７７】
第２の実施形態に係るプロジェクター２の概略構成を示すブロック図は、第１の実施形態に係るプロジェクター１と同様である。よって、説明は省略する。
【００７８】
次に、第２の実施形態に係るプロジェクター２の状態遷移について説明する。図７は、第２の実施形態に係るプロジェクター２の状態遷移図である。図７に示すように、プロジェクター２は、待機状態ＳＴ１０、通常投写状態ＳＴ１１ａ、およびランプ交換状態ＳＴ１２に遷移可能となっている。
以降、第１の実施形態との差異について説明する。
【００７９】
通常投写状態ＳＴ１１ａにおいて、使用不可能なランプが検出されると、プロジェクター２は、ランプ交換状態ＳＴ１２に遷移する。その他の状態における処理や状態遷移については、第１の実施形態と同様とする。
【００８０】
次に、通常投写状態ＳＴ１１ａにおける処理と状態遷移について説明する。
図８は、プロジェクター２の通常投写状態ＳＴ１１ａにおける処理のフローチャートである。
【００８１】
通常投写状態ＳＴ１１ａにおいて、制御部２０は、点灯検出部２３からランプ１１Ａ，１１Ｂ，１１Ｃが点灯しているか否かの検出結果を入力し、点灯しなくなったランプがあるか否かを判断する（ステップＳ４０１）。点灯しなくなったランプが検出された場合（ステップＳ４０１：ＹＥＳ）、制御部２０は、ランプ情報記憶部２４のランプ情報テーブルＴ１を読み出して予備で使用可能なランプがあるか否かを判断する（ステップＳ４０２）。予備で使用可能なランプがある場合（ステップＳ４０２：ＹＥＳ）、制御部２０は、ランプ設定部２２に指示を出して、予備のランプを点灯させる（ステップＳ４０３）。
【００８２】
制御部２０は、ＬＥＤ制御部２８に指示を出して、ランプ交換を促すためのＬＥＤ２９を点灯させる（ステップＳ４０４）。そして、制御部２０は、ランプ情報記憶部２４のランプ情報テーブルＴ１にランプの使用状態を記憶させる（ステップＳ４０５）。予備で使用可能なランプがない場合（ステップＳ４０２：ＮＯ）、ステップＳ４０４に移行する。
【００８３】
制御部２０は、ランプ設定部２２に指示を出して、使用不可能（点灯不可能）なランプに対する電力の供給を停止させる（ステップＳ４０６）。そして、制御部２０は、ファン制御部２６に指示を出して、使用不可能なランプに対応する冷却ファンを所定の回転数で回転させて、使用不可能なファンを冷却する（ステップＳ４０７）。
【００８４】
制御部２０は、点灯検出部２３に指示を出し、使用不可能なランプに対する点灯状態の検出を停止する（ステップＳ４０８）。そして、制御部２０は、プロジェクター２をランプ交換状態ＳＴ１２に遷移させる（ステップＳ４０９）。そして、通常投写状態ＳＴ１１ａにおけるプロジェクター２の処理を終了する。
【００８５】
点灯しなくなったランプがない場合（ステップＳ４０１：ＮＯ）、制御部２０は、操作受付部２１に備わる電源キーが押下され、電源オフ操作が行われたか否かを判断する（ステップＳ４１０）。電源オフ操作が行われていた場合（ステップＳ４１０：ＹＥＳ）、制御部２０は、画像処理部３１に指示を出して、画像の投写を停止させる（ステップＳ４１１）。次に、制御部２０は、ランプ設定部２２に指示を出して、全てのランプを消灯させる（ステップＳ４１２）。
【００８６】
制御部２０は、電源オフ処理を行う（ステップＳ４１３）。電源オフ処理は、第１の実施形態と同様とする。そして、制御部２０は、プロジェクター２を待機状態ＳＴ１０に遷移させる（ステップＳ４１４）。そして、通常投写状態ＳＴ１１ａにおけるプロジェクター２の処理を終了する。
【００８７】
電源オフ操作が行われていなければ（ステップＳ４１０：ＮＯ）、制御部２０は、その他の操作が行われたか否かを判断する（ステップＳ４１５）。その他の操作が行われていれば（ステップＳ４１５：ＹＥＳ）、制御部２０は、その他の操作に対応した処理を行う（ステップＳ４１６）。そして、ステップＳ４０１に移行する。
【００８８】
その他の操作が行われていなければ（ステップＳ４１５：ＮＯ）、ステップＳ４０１に移行する。
【００８９】
上述したように、プロジェクター２は、待機状態ＳＴ１０と、通常投写状態ＳＴ１１ａと、ランプ交換状態ＳＴ１２との間で遷移することができる。
【００９０】
上述した第２の実施形態によれば、第１の実施形態の効果（１）と同様の効果を奏することができる。他に以下の効果が得られる。
（１）プロジェクター２は、通常投写状態ＳＴ１１ａにおいて、点灯しなくなったランプを検出した場合に、点灯不可能（使用不可能）なランプに対する電力の供給を停止して、ランプ交換可能なランプ交換状態ＳＴ１２に切り替える。ランプ交換状態ＳＴ１２では、点灯可能なランプは点灯しており、画像の投写は行われる。これにより、点灯不可能なランプが検出されても、プロジェクター２の画像の投写を止めることなく、ユーザーは点灯不可能なランプを交換することが可能となる。よって、プロジェクター２を長時間連続稼動するような使用形態（例えば、アミューズメント施設での使用や電子看板としての使用形態）においても、画像を投写したままでランプを交換することが可能となるため、有益である。また、通常投写状態ＳＴ１１ａでは、１つのランプが点灯不可能となっても、直ちに予備のランプを点灯するため、点灯しているランプが１つになることによって画像の照度が低下してしまう時間を抑制することができる。また、ユーザーが所定の操作を行わなくても、プロジェクター２は通常投写状態ＳＴ１１ａからランプ交換状態ＳＴ１２に切り替わるため、利便性が向上する。
【００９１】
（２）プロジェクター２は、通常投写状態ＳＴ１１ａにおいて、点灯しなくなった点灯不可能（使用不可能）なランプを検出した場合に、点灯不可能なランプに対応する冷却ファンを所定の回転数で回転させることにより点灯不可能なランプを冷却させて、ランプ交換可能なランプ交換状態ＳＴ１２に切り替える。これにより、ユーザーは、点灯不可能なランプの交換を安全に行うことができる。
【００９２】
（３）プロジェクター２は、通常投写状態ＳＴ１１ａにおいて、点灯しなくなった点灯不可能（使用不可能）なランプを検出した場合に、使用不可能なランプの点灯状態の検出処理を停止して、ランプ交換可能なランプ交換状態ＳＴ１２に切り替える。これにより、プロジェクター２は、点灯不可能なランプに対する不要な検出処理を行わなくなるため、ソフトウェアの処理を低減することができる。
【００９３】
なお、上述した実施形態に限定されず、種々の変更や改良等を加えて実施することが可能である。変形例を以下に述べる。
【００９４】
（変形例１）上記実施形態では、プロジェクター１，２は、３つのランプ１１Ａ，１１Ｂ，１１Ｃを有しており、そのうち２つのランプを点灯させ、残りの１つを予備のランプとするものとしたが、プロジェクターは、３つ以上のランプを有して、そのうち２つ以上のランプを点灯させるものとしてもよい。また、予備のランプを複数有してもよい。こうすれば、複数のランプが点灯不可能になっても、予備のランプによって、投写される画像の照度の低下を抑制することができる。
【００９５】
（変形例２）上記実施形態では、プロジェクター１，２は、３つのランプ１１Ａ，１１Ｂ，１１Ｃを有しており、そのうち２つのランプを点灯させ、残りの１つを予備のランプとするものとしたが、プロジェクターは、２つのランプを有して、その２つのランプを点灯させるものとしてもよい。この場合、１つのランプが点灯不可能となると、投写される画像の照度が低下してしまうが、予備のランプが不要になるため、プロジェクターのランプ構成を簡略化することができる。
【００９６】
（変形例３）上記実施形態では、プロジェクター１，２は、点灯不可能なランプが検出されると、ランプ交換を促すＬＥＤ２９を点灯するものとしたが、制御部２０がＯＳＤ処理部３２に指示を行い、ランプ交換を促すメッセージを投写画像に表示させてもよい。こうすれば、ユーザーは、ランプ交換の必要性を容易に認識することができる。また、プロジェクター１，２は、スピーカー（図示せず）を備え、ランプ交換を促す音声を出力してもよい。また、プロジェクター１，２は、外部の電子機器と通信を行う通信部（図示せず）を備えるものとし、プロジェクター１，２から、パーソナルコンピューター等の外部の電子機器にランプ交換を促す情報を送信してもよい。
【００９７】
（変形例４）上記第１の実施形態では、ユーザーが行う所定の操作は、操作受付部２１に備わるランプ交換キーの押下の操作としたが、これに限定するものではない。例えば、メニュー画面に「ランプ交換状態への切り替え」項目を設けて、ユーザーがこの「ランプ交換状態への切り替え」項目を選択することで、ランプ交換状態ＳＴ１２に遷移してもよい。また、プロジェクター１は、外部の電子機器と通信を行う通信部（図示せず）を備えるものとし、パーソナルコンピューター等の外部の電子機器から、プロジェクター１にランプ交換状態への切り替えを指示する情報を送信してもよい。
【００９８】
（変形例５）上記実施形態では、３つの冷却ファン２７Ａ，２７Ｂ，２７Ｃは、３つのランプ１１Ａ，１１Ｂ，１１Ｃに対応してそれぞれを冷却するものとしたが、冷却ファンはランプと１対１に対応して設けられていなくてもよい。ランプ交換状態ＳＴ１２において、点灯不可能（使用不可能）となったランプを冷却することができれば、冷却ファンの個数や冷却方法は問わない。
【００９９】
（変形例６）上記実施形態では、プロジェクター１，２を例にして説明しているが、ランプを光源として画像を投写する画像投写装置であれば適用することが可能である。例えば、透過型のスクリーンを一体的に備えたリアプロジェクター等に適用することも可能である。
【０１００】
（変形例７）上記実施形態では、光変調装置として、透過型の液晶ライトバルブ１２を用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【符号の説明】
【０１０１】
１，２…プロジェクター、１０…画像投写部、１１Ａ，１１Ｂ，１１Ｃ…ランプ、１２…液晶ライトバルブ、１３…投写レンズ、１４…ライトバルブ駆動部、２０…制御部、２１…操作受付部、２２…ランプ設定部、２３…点灯検出部、２４…ランプ情報記憶部、２５…ランプ交換検出部、２６…ファン制御部、２７Ａ，２７Ｂ，２７Ｃ…冷却ファン、２８…ＬＥＤ制御部、２９…ＬＥＤ、３０…画像信号入力部、３１…画像処理部、３２…ＯＳＤ処理部、ＳＴ１０…待機状態、ＳＴ１１，ＳＴ１１ａ…通常投写状態、ＳＴ１２…ランプ交換状態、Ｔ１…ランプ情報テーブル。
【図１】
2011095292.tif 000003
【図２】
2011095292.tif 000004
【図３】
2011095292.tif 000005
【図４】
2011095292.tif 000006
【図５】
2011095292.tif 000007
【図６】
2011095292.tif 000008
【図７】
2011095292.tif 000009
【図８】
2011095292.tif 000010